(57)【要約】      （修正有）【課題】検索結果に応じて検索結果の一覧画面における属性の並び方を変えた画面を自動的に作成して、利用者による検索結果の絞り込み作業を支援する。【解決手段】情報データベース２０１と、これに付与された属性の種類と内容を定義した属性定義ファイル２０２、検索された情報とともに表示する属性を選定する際の条件を設定した表示属性選定条件ファイル２０３、前記属性を表示する際の表示形態を設定した表示条件ファイル２０４、検索条件に合致した情報を前記情報データベースから検索する検索処理部１０１、検索結果を表示する際に表示する属性を選定する属性選出部１０２、前記表示条件ファイルに格納された表示条件に従って表示画面を作成し表示する画面作成部１０３を備え、表示画面に表示される検索結果の絞り込みを支援する。【選択図】図１
2007293585.tif 000002
【特許請求の範囲】
【請求項１】
情報の格納場所および前記情報に付与された属性を格納した情報データベースと、
前記付与された属性の種類およびその内容を定義した属性定義ファイルと、
検索された情報に付与された複数の属性のうち、検索された情報とともに表示する属性を選定する際の条件を設定した表示属性選定条件ファイルと、
前記検索された情報とともに表示する属性として選定された属性を表示装置に表示する際の表示形態を設定した表示条件ファイルと、
入力された検索条件に合致した情報を前記情報データベースから検索して抽出する検索処理部と、
前記属性定義ファイルおよび表示属性選定条件ファイルを参照して、検索結果を表示する際に表示する属性を選定する属性選出部と、
前記表示条件ファイルに格納された表示条件に従って前記選定された属性を表示する表示画面を作成し、作成した表示画面を前記表示装置に表示する画面作成部を備え、
前記表示画面に表示される検索結果の前記属性を用いた絞り込みを支援することを特徴とする情報検索画面作成支援装置。
【請求項２】
請求項１記載の情報検索画面作成支援装置において、
前記属性定義ファイルは、各属性値に順序がある属性であると定義したファイルであり、表示属性選定条件ファイルは、属性の選出条件として順序がある属性の場合に選出の優先順位が高くなることを記述したファイルであり、
前記属性選出部は、前記表示属性選定条件ファイルを参照し、検索結果画面に検索結果の各情報を一意に特定する情報と共に検索結果を絞り込むための属性を、属性の順序性による優先順位に基づいて選出することを特徴とする情報検索画面作成支援装置。
【請求項３】
請求項１記載の情報検索画面作成支援装置において、
前記属性定義ファイルは、一の属性と他の属性との間に関連がある属性であると定義したファイルであり、前記表示属性選定条件ファイルは、属性の選出条件として属性間に関連がある属性の場合に選出の優先順位が高くなることを記述したファイルであり、
前記属性選出部は、前記表示属性選定条件ファイルを参照し、検索結果画面に検索結果の各情報を一意に特定する情報と共に検索結果を絞り込むための属性を、属性の関連性による優先順位に基づいて選出することを特徴とする情報検索画面作成支援装置。
【請求項４】
請求項１記載の情報検索画面作成支援装置において、
前記属性定義ファイルは、一の属性と他の属性との間に従属関係がある属性であると定義した属性定義ファイルであり、前記表示属性選定条件ファイルは、属性の選出条件として従属関係ある属性の上位属性が下位属性よりも選出の優先順位が高くなることを記述したファイルであり、
前記属性選出部は、前記表示属性選定条件ファイルを参照し、検索結果画面に検索結果の各情報を一意に特定する情報と共に検索結果を絞り込むための属性を、属性の従属性による選出の優先順位に基づき選出することを特徴とする情報検索画面作成支援装置。
【請求項５】
請求項１記載の情報検索画面作成支援装置において、
前記属性定義ファイルは、属性値が数値で表される情報であり、その数値の順序に重要な意味がある属性であると定義したファイルであり、表示属性選定条件ファイルは、属性の選出条件として数値情報である属性の場合に選出の優先順位が高くなることを記述したファイルであり、
前記属性選出部は、前記表示属性選定条件ファイルを参照し、検索結果画面に検索結果の各情報を一意に特定する情報と共に検索結果を絞り込むための属性を、属性値が数値情報にからなるという選出の優先順位に基づき選出することを特徴とする情報検索画面作成支援装置。
【請求項６】
請求項１記載の情報検索画面作成支援装置において、
前記属性定義ファイルは、属性値が文字列から構成され、その文字列の順序自身には重要な意味がない属性であると定義したファイルであり、表示属性選定条件ファイルは、数値情報である属性の場合に選出の優先順位が高くなることを記述したファイルであり、
前記属性選出部は、前記表示属性選定条件ファイルを参照し、検索結果画面に検索結果の各情報を一意に特定する情報と共に検索結果を絞り込むための属性を、属性値が文字列情報からなるという選出の優先順位に基づき選出することを特徴とする情報検索画面作成支援装置。
【請求項７】
請求項１記載の情報検索画面作成支援装置において、
前記表示条件ファイルは、検索結果画面に検索結果の各情報を一意に特定する情報と共に検索結果を絞り込むための属性を画面領域上に配置するための条件を記載したファイルであり、前記画面作成部は、検索結果の各情報を一意に特定する情報と共に検索結果を絞り込むための属性でかつ、優先順位基づき並べるために選出された属性を表示する画面を作成することを特徴とする情報検索画面作成支援装置。
【請求項８】
請求項１記載の情報検索画面作成支援装置において、
属性定義ファイル、表示属性選定条件ファイルおよび表示条件ファイルを修正することのできる入力手段を備えたことを特徴とする情報検索画面作成支援装置。
【請求項９】
情報の格納場所および前記情報に付与された属性を格納した情報データベースと、
前記付与された属性の種類およびその内容を定義した属性定義ファイルと、
検索された情報に付与された複数の属性のうち、検索された情報とともに表示する属性を選定する際の条件を設定した表示属性選定条件ファイルと、
前記検索された情報とともに表示する属性として選定された属性を表示装置に表示する際の表示形態を設定した表示条件ファイルと、
入力された検索条件に合致した情報を前記情報データベースから検索して抽出する検索処理部と、
前記属性定義ファイルおよび表示属性選定条件ファイルを参照して、検索結果を表示する際に表示する属性を選定する属性選出部を備え、
前記表示条件ファイルに格納された表示条件に従って前記選定された属性を表示して、検索結果の前記属性を用いた絞り込みを支援することを特徴とする情報検索支援方法。
【請求項１０】
コンピュータを、
情報の格納場所および前記情報に付与された属性を格納した情報データベース、
前記付与された属性の種類およびその内容を定義した属性定義ファイル、
検索された情報に付与された複数の属性のうち、検索された情報とともに表示する属性を選定する際の条件を設定した表示属性選定条件ファイル、
前記検索された情報とともに表示する属性として選定された属性を表示装置に表示する際の表示形態を設定した表示条件ファイル、
入力された検索条件に合致した情報を前記情報データベースから検索して抽出する検索処理部、
前記属性定義ファイルおよび表示属性選定条件ファイルを参照して、検索結果を表示する際に表示する属性を選定する属性選出部、
および前記表示条件ファイルに格納された表示条件に従って前記選定された属性を表示する表示画面を作成し、作成した表示画面を前記表示装置に表示する画面作成部として機能させ、前記表示画面に表示される検索結果の前記属性を用いた絞り込みを支援させるプログラム。
【発明の詳細な説明】
【技術分野】
【０００１】
本発明は、情報検索支援技術に係り、特に、検索条件に合致する検索結果が複数レコード存在する場合に、この検索結果を更に絞り込むために必要な属性項目を適切に選出して表示することにより、利用者による検索結果の絞り込みを支援する情報検索支援技術に関する。
【背景技術】
【０００２】
ネットワークあるいは情報技術の発達に伴い、近年では、ネットワーク上に存在する様々な情報に簡単にアクセスできるようになった。しかしながら、現実には、大量の情報が氾濫しており、必要な情報を入手することは困難である。そこで、必要な情報を効率よく検索するための様々な情報検索技術が開発されてきた。
【０００３】
このような検索技術としては、入力した文字列がその情報の中に含まれるか否かを判定するキーワード検索が知られている。このキーワード検索は多くの検索装置における基本機能として用いられており、検索精度を高めるために、更にさまざまな検索機能が付加されている。
【０００４】
たとえば、インターネットの検索サイトとして知られているGoogle（http://www.google.co.jp/）（登録商標）では、ページ内に記述されている文字列の一致だけではなく、リンクや引用関係を用いてページの類似度を算出することにより、検索精度を高めている。
【０００５】
また、利用者が入力したキーワードが一致するか否かだけではなく、キーワードに関連する概念情報やシソーラス情報を補完し、あるいはキーワード間の共起関係を用いて検索精度を高める概念検索システムも知られている。
【０００６】
また、イントラネットでは、情報を一律に管理することが可能となるため、作成者、作成日やその情報の種類などの共通の属性情報を予め定義し、各情報に対してもこれらの属性を付与した条法を用いた属性検索装置が用いられている。このように、検索に際して、属性情報を組み合わせることが可能な場合には、利用者は属性情報を組み合わせて、検索条件を細かく指定することが可能である。このような検索技術は、特許システムや文書管理システムなどに広く用いられている。
【０００７】
また、特許文献１には、情報の属性値を多次元的に表示しておき、属性値による効率的な検索結果の絞り込みを行なうことのできる情報処理装置が示されている。この装置では、ある検索条件でファイル検索を実行した場合の、検索スコアと更新時刻との各区分毎のファイル数を知ることができ、次回の検索の場合に、前記知見に従って検索範囲を効果的に絞り込むを可能としている。
【特許文献１】特開平１１−２７２６７５号公報
【発明の開示】
【発明が解決しようとする課題】
【０００８】
前述のように、インターネットの発達、あるいは計算機容量の増加に伴い、電子化された大量の情報がデータベースに格納され、閲覧できるようになった。しかしながら、前記大量の情報には不要な情報が多く含まれており、このため、様々な検索機能が提供されるようになってきた。その一つである前記属性を用いた検索機能は、情報に対して多くの属性項目を予め付与しなければならないが、付与された属性情報を組み合わせることで、必要な情報を的確に絞り込むことが可能である。
【０００９】
ところが、前記属性情報は、指定する属性値の選択を間違うと、所望の情報にたどり着くことができず、その結果、データベースに所望の情報が含まれているにも拘らず、その情報を抽出することができない場合が生じる。
【００１０】
特に情報量が多くなり、付与される属性の種類が増加すると、利用者はすべての属性とその属性値を把握することが困難となる、このため、属性値を利用した検索機能の利用はますます困難となる。
【００１１】
そこで、検索結果の一覧を表示する一覧画面として、例えば、主要な属性（属性項目）を横軸に並べた表形式で検索結果を表示し、属性値で並べかえることで検索結果の中に利用者が所望する情報が含まれているかどうかを早期に判断できるにした検索結果表示機能が開発されている。ところが、この検索結果表示機能では、検索結果に属性値がすべて同じ値のものも含まれていることがある。すなわち、このような属性項目を固定した表示形式では、利用者にとって検索に必要な情報を十分に得ることはできない。
【００１２】
また、属性項目の並び方を変えた画面を提供しようとすると、その都度、表示画面を作成しなければならず、検索システム開発者に負担を与えることになる。
【００１３】
本発明はこれらの問題点に鑑みてなされたのもので、検索結果に応じて検索結果の一覧画面における属性項目の並び方を変えた画面を自動的に作成して、利用者による検索結果の絞り込み作業を支援することのできる情報検索支援技術を提供することにある。
【課題を解決するための手段】
【００１４】
本発明は上記課題を解決するため、次のような手段を採用した。
【００１５】
情報の格納場所および前記情報に付与された属性を格納した情報データベースと、前記付与された属性の種類およびその内容を定義した属性定義ファイルと、検索された情報に付与された複数の属性のうち、検索された情報とともに表示する属性を選定する際の条件を設定した表示属性選定条件ファイルと、前記検索された情報とともに表示する属性として選定された属性を表示装置に表示する際の表示形態を設定した表示条件ファイルと、入力された検索条件に合致した情報を前記情報データベースから検索して抽出する検索処理部と、前記属性定義ファイルおよび表示属性選定条件ファイルを参照して、検索結果を表示する際に表示する属性を選定する属性選出部と、前記表示条件ファイルに格納された表示条件に従って前記選定された属性を表示する表示画面を作成し、作成した表示画面を前記表示装置に表示する画面作成部を備え、前記表示画面に表示される検索結果の前記属性を用いた絞り込みを支援する。
【発明の効果】
【００１６】
本発明は、以上の構成を備えるため、検索結果に応じて検索結果の一覧画面における属性項目の並び方を変えた画面を自動的に作成することにより、利用者による検索結果の絞り込み作業を支援することができる。
【発明を実施するための最良の形態】
【００１７】
以下、最良の実施形態を添付図面を参照しながら説明する。図１は、情報検索画面作成支援装置を説明する図である。情報検索画面作成支援装置１００１は、情報検索処理を行なうＣＰＵ等からなる処理装置１、記憶装置２、ＬＣＤ等からなる表示装置３、およびキーボード等からなる入力装置４をハードウエアとして備える。
【００１８】
記憶装置２には、情報の所在および属性と属性を表す情報に含まれる文字列との組み合わせを格納した情報ＤＢ（データベース）２０１、属性の種類（属性項目）を定義した属性定義ファイル２０２、検索結果に応じてどの属性を表示属性として選出するかを定義する表示属性選定条件ファイル２０３、選出された属性をどのように表示するかを定義する表示条件ファイル２０４が格納されている。
【００１９】
処理装置１は、利用者が入力した検索条件に合致した情報を情報ＤＢ２０１から抽出する検索処理部１０１、属性定義ファイル２０２および表示属性選定条件ファイル２０３を参照し、検索結果の表示の際に並べて表示する属性項目を選出する属性選出部１０２、並びに表示条件ファイル２０４を参照し、選出された属性項目を所定の画面領域に表示する際の表示画面を作成する画面作成部１０３を備える。なお、これら各部はプログラムとして処理装置１に格納されている。
【００２０】
利用者は、入力装置４を介して、表示装置３に表示される検索画面上で、情報ＤＢから所望の情報を抽出するための検索条件を入力する。また、その検索結果は表示装置３に出力される。
【００２１】
なお、情報検索画面作成支援装置１００１は、ＷＷＷサーバ１００２およびネットワーク１００３を介して１つ以上のクライアントマシン１００４と接続することが可能であり、各クライアントマシン２０１は情報ＤＢ２０１を検索して、検索結果を閲覧することが可能である。
【００２２】
図２は、情報検索画面作成支援装置１００１の処理を説明する図である。まず、ステップ１０１１において、初期画面（図３）を表示する。利用者は、情報ＤＢ２０１を検索する場合、表示した前記初期画面に検索条件を入力装置４を介して入力する（ステップＳ１０１１）。検索処理部１０１は、情報ＤＢ２０１から前記検索条件に合致する情報を検索し（ステップＳ１０１２）、検索結果を属性選出部１０２に出力する（ステップＳ１０１３）。なお、前記検索処理部の処理（ステップＳ１０１２）は従来の検出処理部を使用することができる。
【００２３】
次に、属性選出部１０２では、検索処理部１０１からの検索結果を入力し、属性定義ファイル２０２、表示属性選定条件ファイル２０３を参照し、検索結果の表示する際に並べて表示する属性項目を選出する（ステップＳ１０１４，Ｓ１０１５）。なお、ステップＳ１０１５の処理の詳細は、図７を参照して後述する
次に、画面作成部１０３では、表示条件ファイル２０４を参照し、選出された属性項目を所定の画面領域に表示する際の表示画面を作成する（ステップＳ１０１６，Ｓ１０１７）。なお、ステップＳ１０１７の処理の詳細は、図９を参照して後述する。
【００２４】
図３は、情報検索画面作成支援装置の表示装置に３に表示される初期画面の例を示す図である。初期画面３０１１は、検索条件入力領域３０１２、検索処理を指示する検索指示ボタン３０１３、検索結果の一覧を表示する表示領域３０１４を備える。
【００２５】
図４は、情報ＤＢ２０１のファイル構成を説明する図である。図に示すように、情報ＤＢ２０１は、複数のレコードから構成され、各レコードは複数のデータ項目から構成される。データ項目は、レコードを一意に特定する「ＩＤ」、情報の所在を表す「場所」、情報を一意に特定する情報である「文書名」を備える。また、情報の属性項目である「作成者」、「文書種別」、「工程」、「顧客名」、「業種大分類」、「業種小分類」、「ハードウェア」、「ＯＳ情報」、「ソフトウェア」などを備える。
【００２６】
図５は、属性定義ファイル２０２のファイル構成を説明する図である。図に示すように、属性定義ファイル２０２は、複数のレコードから構成され、各レコードは複数のデータ項目から構成される。データ項目は、「属性名」、「属性の種類」、「主属性」、「関係属性」、「下位属性」を備える。
【００２７】
「属性名」は、前記情報ＤＢ２０１に含まれる属性項目の全てを抽出して記載している。また、「属性の種類」は「文字列」「順序」「数値」「順序・数値」のいずれかを定義する。
【００２８】
「主属性」は、検索結果を表示する際にその属性を特に優先して表示する属性として扱いたい場合に定義する。この場合、「関係する属性」「下位属性」が付属する場合、これらの属性は前記「主属性」に対して「詳細な属性」として扱う。なお、図５に示す属性定義ファイル２０２は入力装置４を介してその記述内容を変更することができる。
【００２９】
図６は、表示属性選定条件ファイル２０３のファイル構成を説明する図である。表示属性選定条件ファイル２０３は、複数のテーブルから構成され、各テーブルは複数のレコードを備える。また各レコードは、複数のデータ項目を備える。
【００３０】
第一のテーブル（図６（ａ））において、データ項目は、属性を選出するために予め定義された「選出条件」、「優先順位」を備える。第二のテーブル（図６（ｂ））において、データ項目は、属性を選出するために予め定義された個別の属性に関する情報である「個別選出属性」、「優先順位」を備える。第三のテーブル（図６（ａ））において、データ項目は、「例外条件」、「優先順位」を備える。なお、図６に示す表示属性選定条件ファイル２０３は入力装置４を介してその「優先順位」を変更することができる。
【００３１】
図７は、属性選出部１０２の処理（図２のステップＳ１０１５）の詳細を説明する図である。前述のように、まず、利用者は、図３に示す初期画面に検索条件を入力して、検索処理を指示し、その検索処理が終了した後に本処理を実行する。
【００３２】
まず、ステップ１０２０１において、情報ＤＢ２０１から前記検索条件に合致する情報を抽出する。
【００３３】
ステップ１０２０２において、図５に示す属性定義ファイル２０２、図６に示す表示属性選定条件ファイル２０３を読み込む。次に、ステップ０１０２０３において、読み込んだ属性定義ファイル２０２および表示属性選定条件ファイル２０３の内容にしたがって、表示装置に表示する属性項目（およびその表示順序）を選出する。ステップ１０２０４において、画面作成部１０３に選出した前記属性を出力する。なお、画面作成部により作成される画面については、図１０ないし図１２を参照して説明する。
【００３４】
図８は、表示条件ファイル２０４のファイル構成を説明する図である。表示条件ファイル２０４は、複数のレコードから構成され、また各レコードは、複数のデータ項目から構成される。前記データ項目は、選出された属性の表示方法を記載した「表示条件」、および「優先順位」を備える。なお、表示条件ファイル２０４の「優先順位」は、入力装置４を介して変更することができる。
【００３５】
図９は、画面作成部の処理を説明する図である。前述のように、利用者は、まず、図３に示す初期画面に検索条件を入力して、検索処理を指示する。この検索処理が終了した後、属性選出部１０２は、検索結果（例えば、レコードを一意に特定する「ＩＤ」、情報の所在を表す「場所」、情報を一意に特定する情報である「文書名」）とともに前記表示する属性項目（およびその順序）を出力する。画面作成部１０３は、これらの出力をもとに以下の処理を行う。
【００３６】
まず、ステップ１０３０１において、属性選出部１０２から選出された属性を入力する。ステップ１０３０２において、図８に示す表示条件ファイル２０４を読み込む。ステップ１０３０３において、前記表示条件ファイルの内容にしたがって、表示する画面データ（属性を含む）を作成する。次に、ステップ０１０３０４において、表示装置３に前記画像データを出力する。
【００３７】
図１０は、表示画面の例（例１）を説明する図である。検索条件として「情報  共有」というキーワードを入力した場合について説明する。
【００３８】
検索結果画面３０２１は、検索条件入力領域３０２２、検索処理を指示する指示ボタン３０２３、検索結果の一覧を表示する一覧表示領域３０２４、および検索結果（抽出件数）を知らせる抽出数領域３０２５を備える。
【００３９】
前述のように、属性選出部１０２は、属性定義ファイル２０２および表示属性選定条件ファイル２０３を参照する。図６（ａ）に示す表示属性選定条件ファイル２０３によると、選出条件の「優先順位」の「１位」は図６（ｃ）に示す「個別選出属性」であるが、この例の場合、検索結果が３２０件あるため、図６（ｃ）に示す「例外条件」における「優先順位」が２位である「検索結果件数≧２０の場合、個別選出属性は表示しない」という条件に該当する。このため「優先順位」が「２位」の「主属性＝”○”」が採択され、「主属性」が「○」となっている属性が選出される。
【００４０】
したがって、この場合は、表示する属性項目として「文書種別」「顧客名」「非機能要件」「設計分類」「工程」「作成部署」が表示作成部に出力される。
【００４１】
画面作成部１０３は、図８に示す表示条件ファイル２０４を参照する。該ファイルによると、優先順位の１位は「表の幅＝画面サイズに合わせる」である。このため、表示領域からはみ出ることになる「工程」「作成部署」は画面に表示しない。
【００４２】
また、優先順位の２位は「主属性を表示する場合、各属性の属性値ではなく件数のみを表示する」である。このため、利用者が、例えば「文書種別」を選択すると、文書種別の各属性値およびその属性値に含まれる情報の件数の一覧が表示される。また、例えば「顧客名」を選択すると、同様に「顧客名」の属性値に含まれる情報の件数の一覧が表示される（表示領域３０２４−ａ参照）。
【００４３】
図１１は、表示画面の例（例２）を説明する図である。この例では、検索条件として前述した「情報  共有」に加えて「文書分類＝提案書」を選択している。
【００４４】
また、この例では、前述の例と同様に、属性選出部１０２は、さらに関連する属性項目として「非機能要件」「定量効果」を選出した後、他の属性として「顧客名」「業種大分類」・・・をこのような順で選出する。また、画面作成部１０３は、例えば「工程」における各属性値およびその件数（抽出件数）を表示する。
【００４５】
図１２は、表示画面の例（例３）を説明する図である。この例では、検索条件として前述した「情報  共有  文書分類＝提案書」に加えて「工程＝要件定義」を選択している。この例の場合、検索結果（抽出件数）件数が２０件未満であるため、図６に示す選定条件ファイル２０３にしたがって「ＩＤ」および「文書名」を表示する。
【００４６】
以上説明したように、本実施例によれば、属性情報を用いることにより、大量の情報を蓄積したデータベースから所望の検索結果を容易に得ることができる。また、検索結果を表示するに際して、前記検索結果を絞り込むために適切な属性項目を選出して表示するので、利用者による検索結果の絞り込み作業を支援することができる。また、検索結果を一覧表示する一覧画面における属性の並び方を変えた画面を自動的に作成することができる。このため、利用者は前記一覧画面を参照しながら、検索結果の絞り込み作業を容易に行うことができる。また、予め設定した表示属性の選定条件（選定条件ファイル）にしたがって検索表示画面を自動生成することができる。このため検索装置のソフトウエアの開発コストおよび開発期間を低減することができる。
【図面の簡単な説明】
【００４７】
【図１】情報検索画面作成支援装置を説明する図である。
【図２】情報検索画面作成支援装置の処理を説明する図である。
【図３】情報検索画面作成支援装置の表示装置にに表示される初期画面を示す図である。
【図４】情報ＤＢのファイル構成を説明する図である。
【図５】属性定義ファイルのファイル構成を説明する図である。
【図６】表示属性選定条件ファイルのファイル構成を説明する図である。
【図７】属性選出部の処理の詳細を説明する図である。
【図８】表示条件ファイルのファイル構成を説明する図である。
【図９】画面作成部の処理を説明する図である。
【図１０】表示画面の例（例１）を示す図である。
【図１１】表示画面の例（例２）を示す図である。
【図１２】表示画面の例（例３）を示す図である。
【符号の説明】
【００４８】
１００１  情報検索画面作成支援装置
１  処理装置
２  記憶装置
３  表示装置
４  入力装置
１０１  検索処理部
１０２  属性選出部
１０３  画面作成部
２０１  情報ＤＢ
２０２  属性定義ファイル
２０３  表示属性選定条件ファイル
２０４  表示条件ファイル
１００２  ＷＷＷサーバ
１００３  インターネット
１００４  クライアントマシン
【図１】
2007293585.tif 000003
【図２】
2007293585.tif 000004
【図３】
2007293585.tif 000005
【図４】
2007293585.tif 000006
【図５】
2007293585.tif 000007
【図６】
2007293585.tif 000008
【図７】
2007293585.tif 000009
【図８】
2007293585.tif 000010
【図９】
2007293585.tif 000011
【図１０】
2007293585.tif 000012
【図１１】
2007293585.tif 000013
【図１２】
2007293585.tif 000014